【手続補正書】
【提出日】平成19年2月15日(2007.2.15)
【手続補正１】
【補正対象書類名】明細書
【補正対象項目名】特許請求の範囲
【補正方法】変更
【補正の内容】
【特許請求の範囲】
【請求項１】  組織検体が配置される表面を有する容器と、
前記組織検体の区画又は前記組織検体の表面を画像形成するために光ビームが伝播する、前記表面の少なくとも一部を提示するための前記容器内の窓と、
前記窓上に前記組織検体を押さえつけるための手段と、
前記組織検体が配置される表面の反対側に取り付けられる準拠バッグと、
前記組織検体を取り巻き、前記トレー内の前記組織検体の屈折率と一致する屈折率を有する浸漬媒体と、
前記バッグ内のカップリング媒体と、
を含むことを特徴とする検体ホルダ。
【請求項２】  前記カップリング媒体の屈折率が前記浸漬媒体の屈折率と同じであることを特徴とする請求項１に記載の装置。
【請求項３】  画像処理しようとする前記組織検体の区画内に光ビームを合焦させる対物レンズを含む画像処理システムをさらに含み、前記準拠バッグがレンズと物理的に結合された関係で配置されることを特徴とする請求項１記載の装置。
【請求項４】  前記ホルダが配置される支持体、前記支持体を対物レンズに接続させる固定体、並びに前記対物レンズに対する支持体及びその内部のホルダの位置的関係を変化させるための手段を含むことを特徴とする請求項３記載の装置。
【請求項５】  前記対物レンズが固定され、前記支持体のための前記手段を移動させるための前記手段が、それを光軸に沿う方向に、並びに互いに、かつ光軸に対して相互に直交する方向に移動させるように作動することを特徴とする請求項４記載の装置。
【請求項６】  前記窓に対向させて前記バッグに取り付けられている透明安定化プレートと、前記透明安定化プレート及びレンズを解放可能に組み立てるための手段をさらに含むことを特徴とする請求項３記載の装置。
【請求項７】  前記組織検体の画像形成後に廃棄するため、前記浸漬媒体及び前記バッグを含む前記容器が前記対物レンズから脱着可能であり、かつ前記支持体から除去可能であることを特徴とする請求項１記載の装置。
【請求項８】  組織検体が配置される表面を提供する容器と、
前記組織検体の区画又は前記組織検体の表面を画像形成するために光ビームが伝播する、前記表面の少なくとも一部を提示する前記容器内の窓と、
前記組織検体が配置される表面の反対側に取り付けられる準拠バッグと、
前記組織検体を取り巻き、前記トレー内の前記組織検体の屈折率と一致する屈折率を有する浸漬媒体と、
前記バッグ内のカップリング媒体とからなる検体ホルダにおいて、
前記容器は、液体媒体が容器からバッグへ、又はバッグから容器へのいずれかに流動して前記浸漬媒体及びカップリング媒体を提供する開口可能な孔を有することを特徴とする検体ホルダ。
【請求項９】  特定の屈折率を有する切除組織を画像処理するための装置であって：
切除組織が配置されるトレー；
前記トレー上に前記切除組織を押さえつけるための手段；及び
前記トレーの一部を通して切除組織に向かう光学；
を含み、ここで、前記トレーが前記切除組織の屈折率と一致する屈折率を有する浸漬媒体を収容することを特徴とする装置。
【請求項１０】  前記トレーと前記光学との間に前記光学を前記トレーに光学的に結合させる媒体を提示する、前記トレーと前記光学との間に配置された手段をさらに含むことを特徴とする請求項９記載の装置。
【請求項１１】  前記トレーに、その内部に配置される前記切除組織を識別するために適用される印をさらに含むことを特徴とする請求項９記載の装置。
【請求項１２】  組織検体を画像処理するためのシステムであって：
上に検体を位置させることが可能である窓を備える基体を有するホルダと；
前記窓上に前記組織検体を押さえつけるための手段と；
前記組織検体が前記窓上に位置するときに前記窓を通して前記組織検体を画像処理するための画像処理手段と；
前記ホルダの前記基体と前記画像処理手段との間に位置し、かつ流体を収容することが可能である、前記画像処理手段に対して光学的に透明なバッグと、
を含むことを特徴とするシステム。
【請求項１３】  前記流体が第１流体を表し、かつ前記ホルダが第２流体を保持するための前記基体を含む容器であることを特徴とする請求項１２記載のシステム。
【請求項１４】  組織検体を画像処理するためのシステムであって、前記システムが、
上に組織検体を位置させることを可能にする窓を備える基体を有するホルダと；
前記組織検体が前記窓上に位置するときに前記窓を通して前記組織検体を画像処理するための画像処理手段と；
前記ホルダの前記基体と前記画像処理手段との間に位置し、かつ流体を収容することが可能である、前記画像処理手段に対して光学的に透明なバッグとからなり、
前記流体が第１流体を表し、かつ前記ホルダが第２流体を保持するための前記基体を含む容器であり、
前記第２流体が前記組織検体の表面生地による光学的歪みを実質的に補正するように選択されることを特徴とするシステム。
【請求項１５】  前記第１及び第２流体が実質的に一致する屈折率を有することを特徴とする請求項１３記載のシステム。
【請求項１６】  前記画像処理手段が、前記窓及び前記バッグを通して前記組織検体に照明ビームを合焦させる対物レンズを有し、前記画像処理手段への帰還光が前記組織検体の区画を表すことを特徴とする請求項１２記載のシステム。
【請求項１７】  前記バッグが、前記基体の前記窓に隣接する表面及び前記画像処理手段の前記対物レンズに面する、前記表面とは反対側の透明プレートを有することを特徴とする請求項１６記載のシステム。
【請求項１８】  前記画像処理手段が、前記組織検体に向けられた対物レンズを有する外筒を有し、かつ前記システムが前記バッグを前記画像処理手段の前記外筒に結合させるための手段をさらに含むことを特徴とする請求項１２記載のシステム。
【請求項１９】  前記画像処理手段が共焦点顕微鏡であることを特徴とする請求項１２記載のシステム。
【請求項２０】  前記画像処理手段が光干渉断層撮影及び二光子顕微鏡のうちの１つによって作動することを特徴とする請求項１２記載のシステム。
【請求項２１】  前記組織検体が前記トレーに対して実質的に平面の少なくとも１つの表面を有することを特徴とする請求項１記載の装置。
【請求項２２】  前記組織検体が前記トレーに対して実質的に平面の少なくとも１つの表面を有することを特徴とする請求項１２記載のシステム。
【請求項２３】  切除組織を画像処理するための方法であって：
前記組織検体を配置するための表面を有する容器を設ける工程と；
前記組織検体を前記容器の前記表面上に押さえつける工程と；
光学的カップリング液を有するバッグを前記容器に隣接して位置させる工程と；
前記容器及び前記バッグの前記光学的カップリング液を通して前記組織検体を画像処理する工程と、
を含むことを特徴とする方法。
【請求項２４】  前記押さえつけるための手段は、ばねで付勢されたフィンガー、前記窓上の前記組織検体を押さえつけることが出来るメッシュ又は膜の内の一つであることを特徴とする請求項１記載の装置。
【請求項２５】  前記押さえつけるための手段は、ばねで付勢されたフィンガー、前記窓上の前記組織検体を押さえつけることが出来るメッシュ又は膜の内の一つであることを特徴とする請求項９記載の装置。
【請求項２６】  組織検体が配置される窓を有する容器と、
前記窓上で前記組織検体を押さえると共に、前記組織検体上で前記容器内に延びる少なくとも１つの押さえつけ手段とを含み、
前記組織検体が前記窓を等して画像処理されるように構成したことを特徴とする切除組織の画像処理を行うためのホルダー。
【手続補正２】
【補正対象書類名】明細書
【補正対象項目名】図１
【補正方法】変更
【補正の内容】
【図１】
2002537579.tif 000001
【手続補正３】
【補正対象書類名】明細書
【補正対象項目名】図２
【補正方法】変更
【補正の内容】
【図２】
2002537579.tif 000002